(57)【要約】【課題】ストラップ取付部を有するカメラ付き携帯情報端末において、ストラップの長さやその大きさに関わりなく、カメラユーザーが予めストラップを握って撮影したり、ストラップの場所を確認したりすることなく、カメラ撮影時にストラップが写るのを容易に防止する。【解決手段】ストラップ１４を取り付けるストラップ取付部１１の取付位置を移動可能に構成する。【選択図】図６
2007194841.tif 000002
【特許請求の範囲】
【請求項１】
ストラップを取り付けるストラップ取付部を有するカメラ付き携帯情報端末において、
上記ストラップ取付部の取付位置が移動可能に構成されていることを特徴とするハンドストラップ取付部を有するカメラ付き携帯情報端末。
【請求項２】
請求項１に記載のストラップ取付部を有するカメラ付き携帯情報端末において、
上記ストラップ取付部を自動で移動させる駆動手段を備えていることを特徴とするストラップ取付部を有するカメラ付き携帯情報端末。
【請求項３】
請求項２に記載のストラップ取付部を有するカメラ付き携帯情報端末において、
カメラ機能が起動中かどうかを判断するカメラ起動判断手段を備え、
カメラ機能が起動中にのみ、上記駆動手段でストラップ取付部の取付位置を移動させるように構成されていることを特徴とするストラップ取付部を有するカメラ付き携帯情報端末。
【請求項４】
請求項２又は３に記載のストラップ取付部を有するカメラ付き携帯情報端末において、
上記ストラップ取付部の移動先を複数の設定位置に手動で設定可能に構成され、
上記設定された設定位置に上記駆動手段により、上記ストラップ取付部を移動させるように構成されていることを特徴とするストラップ取付部を有するカメラ付き携帯情報端末。
【請求項５】
請求項２又は３に記載のストラップ取付部を有するカメラ付き携帯情報端末において、
姿勢を検出する姿勢検出手段を備え、
上記姿勢検出手段からの信号を受け、姿勢から割り出された位置に上記駆動手段により、上記ストラップ取付部を移動させるように構成されていることを特徴とするストラップ取付部を有するカメラ付き携帯情報端末。
【請求項６】
請求項５に記載のストラップ取付部を有するカメラ付き携帯情報端末において、
上記ストラップ取付部の移動先を複数の設定位置に手動で設定可能に構成され、
上記設定された設定位置に上記駆動手段により、上記ストラップ取付部を移動させるように構成され、
上記ストラップ取付部の移動先を複数の設定位置に手動で設定するか、上記姿勢検出手段からの信号を受けて自動で設定するかを選択可能に構成されていることを特徴とするストラップ取付部を有するカメラ付き携帯情報端末。
【請求項７】
請求項６に記載のストラップ取付部を有するカメラ付き携帯情報端末において、
設定を入力する入力部と、
上記入力部により得られた情報を記憶する情報記憶部とを備え、
上記情報記憶部は、ストラップ取付部の移動先を手動で上記入力部により設定するか、自動で設定するかを記憶するように構成されていることを特徴とするストラップ取付部を有するカメラ付き携帯情報端末。
【請求項８】
請求項２乃至７のいずれか１つに記載のストラップ取付部を有するカメラ付き携帯情報端末において、
上記ストラップ取付部が移動可能なガイドレールを筐体表面に備え、
上記駆動手段は、上記ガイドレールの下方の上記筐体内に設けられていることを特徴とするストラップ取付部を有するカメラ付き携帯情報端末。
【請求項９】
請求項１乃至８のいずれか１つに記載のストラップ取付部を有するカメラ付き携帯情報端末において、
携帯電話機であることを特徴とするストラップ取付部を有するカメラ付き携帯情報端末。
【発明の詳細な説明】
【技術分野】
【０００１】
本発明は、ストラップ取付部を有するカメラ付き携帯情報端末に関するものである。
【背景技術】
【０００２】
従来より、携帯電話機をはじめとする近年の携帯情報端末は、その殆どで落下防止や持ち運び安さなどの目的、或いは、アクセサリーとしてストラップが装着されている。
【０００３】
通常、このストラップの取付位置は、定められた１つの位置で固定されているので、カメラ機能を有していると、カメラ撮影時にストラップが撮影領域に侵入して撮影されてしまう場合がある。
【０００４】
そこで、ストラップを撮影領域に侵入させない技術として、撮影時にカメラレンズよりも下方となる位置にストラップ取付部を設けるカメラ付き携帯情報端末が知られている（例えば、特許文献１参照）。
【特許文献１】特開２００２−２５３３２８号公報
【発明の開示】
【発明が解決しようとする課題】
【０００５】
しかしながら、従来のストラップ取付部を有するカメラ付き携帯情報端末では、縦長状態及び横長状態のいずれの撮影姿勢においても、ストラップがカメラに写らないようにするためのストラップ取付部の位置には制限がある。このため、携帯情報端末の持ち方、ストラップの長さや大きさによっては、風の強い屋外などでは、撮影領域に侵入する場合がある。そこで、カメラユーザーは、予めストラップを握って撮影したり、ストラップの場所を確認しながら撮影する必要があり、面倒という問題があった。
【０００６】
本発明は、かかる点に鑑みてなされたものであり、その目的とするところは、ストラップの長さやその大きさに関わりなく、カメラユーザーが予めストラップを握って撮影したり、ストラップの場所を確認したりすることなく、カメラ撮影時にストラップがカメラに写るのを容易に防止することにある。
【課題を解決するための手段】
【０００７】
上記の目的を達成するために、第１の発明では、ストラップを取り付けるストラップ取付部を有するカメラ付き携帯情報端末を前提とし、
上記ストラップ取付部の取付位置が移動可能に構成されている。
【０００８】
上記の構成によると、カメラに写らない適切な位置にストラップ取付部を移動させることで、ストラップの長さやその大きさに関わりなく、カメラユーザーが予めストラップを握って撮影したり、ストラップの場所を確認したりする必要がなくなる。
【０００９】
第２の発明では、上記ストラップ取付部を自動で移動させる駆動手段を備えている。
【００１０】
上記の構成によると、カメラ撮影時に手でストラップ取付部をカメラに写らない位置に移動させる必要がないので、カメラ操作が楽となる。
【００１１】
第３の発明では、カメラ機能が起動中かどうかを判断するカメラ起動判断手段を備え、
カメラ機能が起動中にのみ、上記駆動手段でストラップ取付部の取付位置を移動させるように構成されている。
【００１２】
上記の構成によると、カメラ機能が起動されていない場合には、ストラップがカメラに写るという問題がないため、カメラ機能が起動中のみストラップ取付部の移動制御が行われる。
【００１３】
第４の発明では、上記ストラップ取付部の移動先を複数の設定位置に手動で設定可能に構成され、
上記設定された設定位置に上記駆動手段により、上記ストラップ取付部を移動させるように構成されている。
【００１４】
上記の構成によると、ユーザーの好みの位置にストラップ取付部の位置を駆動手段により変更することができる。
【００１５】
第５の発明では、姿勢を検出する姿勢検出手段を備え、
上記姿勢検出手段からの信号を受け、姿勢から割り出された位置に上記駆動手段により、上記ストラップ取付部を移動させるように構成されている。
【００１６】
上記の構成によると、自動で姿勢検出手段により携帯情報端末のカメラ撮影時の姿勢を検出して、ストラップがカメラに写らない最適な位置を割り出し、その位置にストラップ取付部を移動させることができるので、撮影姿勢に合わせてストラップを移動させる必要がなくなる。
【００１７】
第６の発明では、上記ストラップ取付部の移動先を複数の設定位置に手動で設定可能に構成され、
上記設定された設定位置に上記駆動手段により、上記ストラップ取付部を移動させるように構成され、
上記ストラップ取付部の移動先を複数の設定位置に手動で設定するか、上記姿勢検出手段からの信号を受けて自動で設定するかを選択可能に構成されている。
【００１８】
上記の構成によると、ユーザーの使用状況や好みに応じてストラップ取付部の移動先を複数の設定位置に手動で設定するか、姿勢検出手段からの信号を受けて自動で設定するかを選択できる。
【００１９】
第７の発明では、設定を入力する入力部と、
上記入力部により得られた情報を記憶する情報記憶部とを備え、
上記情報記憶部は、ストラップ取付部の移動先を手動で上記入力部により設定するか、自動で設定するかを記憶するように構成されている。
【００２０】
上記の構成によると、予めストラップ取付部の移動先を手動で設定するか、自動で設定するかを設定しておけば、カメラ機能を使用するたびに設定しなくても、ストラップ取付部が設定された位置に移動する。
【００２１】
第８の発明では、上記ストラップ取付部が移動可能なガイドレールを筐体表面に備え、
上記駆動手段は、上記ガイドレールの下方の上記筐体内に設けられている。
【００２２】
上記の構成によると、駆動手段は筐体表面のガイドレールの下方にあるので、目立たず、また、駆動手段に駆動されたストラップ取付部がガイドレール上をスムーズに移動する。
【００２３】
第９の発明では、ストラップ取付部を有するカメラ付き携帯情報端末は、携帯電話機とする。
【００２４】
上記の構成によると、携帯電話機は、携帯性やデザイン性を重視するため、ストラップの取付位置が制限され、ストラップがカメラに写りやすいが、ストラップ取付部を移動可能とすることで、ストラップがカメラに写るのが防止される。
【発明の効果】
【００２５】
以上説明したように、上記第１の発明によれば、ストラップ取付部を移動可能としたことにより、ストラップの長さやその大きさに関わりなく、カメラユーザーが予めストラップを握って撮影したり、ストラップの場所を確認したりすることなく、カメラ撮影時にストラップが写るのを容易に防止することができる。
【００２６】
上記第２の発明によれば、駆動手段により、ストラップ取付部を自動で移動させ、ストラップがカメラに写らないようにしている。このため、カメラ撮影時に手動でストラップ取付部を移動させる必要がなく、さらにカメラによる撮影が楽になる。
【００２７】
上記第３の発明によれば、カメラ機能が起動中のみストラップ取付部の移動制御を行うようにしている。このため、カメラ撮影と関係のないときには必要のない、ストラップ取付部の移動を防ぐことができるので、快適な使用が可能となる。
【００２８】
上記第４の発明によれば、ストラップ取付部の移動先を複数の設定位置に手動でユーザーの好みの位置に設定できるようにしている。このため、カメラ撮影時にストラップが写るのを容易に防止しながら、カメラ機能をより快適に使用することができる。
【００２９】
上記第５の発明によれば、姿勢検出手段により、姿勢を検出してストラップを最適な位置に移動させるようにしている。このため、撮影姿勢に合わせてストラップを移動させる必要がなく、さらにカメラによる撮影が楽になる。
【００３０】
上記第６の発明によれば、ストラップ取付部の移動先をユーザーの使用状況や好みに応じて手動で設定するか、自動で設定するかを選択できるようにしたことにより、撮影姿勢に合わせてストラップを移動させる必要がなく、さらにカメラによる撮影が楽になる。
【００３１】
上記第７の発明によれば、情報記憶部にストラップ取付部の移動先を手動で設定するか、自動で設定するかを記憶できるようにしている。このため、カメラ機能を使用するたびに設定しなくても、予め設定した設定方法でストラップ取付部が設定された位置に移動するので、より容易且つ快適にカメラ機能を使用することができる。
【００３２】
上記第８の発明によれば、ガイドレールの下方の筐体内に設けた駆動手段により、ストラップ取付部がガイドレール上を移動可能としたことにより、見映えがよく、ストラップがスムーズに移動可能な携帯情報端末が得られる。
【００３３】
上記第９の発明によれば、ストラップの長さやその大きさに関わりなく、カメラユーザーが予めストラップを握って撮影したり、ストラップの場所を確認したりすることなく、カメラ撮影時にストラップが写るのを容易に防止することのできる商品価値の高い携帯電話機が得られる。
【発明を実施するための最良の形態】
【００３４】
以下、本発明の実施形態を図面に基づいて説明する。
【００３５】
−情報端末装置の構成−
図１は本発明の実施形態にかかるハンドストラップ取付部を有するカメラ付き携帯情報端末としての携帯情報端末１２を示すブロック図である。
【００３６】
携帯情報端末１２は、筐体２０、アンテナ１、通信制御部２、ストラップ制御部３、入力部４、システム制御部５、表示部６、情報記憶部７、カメラ制御部８、５軸センサー制御部９、駆動手段としてのモーター１０、ストラップ１４を取り付けるストラップ取付部１１を備えている。本実施形態では、例えば、携帯情報端末１２は、携帯電話機とする。
【００３７】
上記システム制御部５は、携帯情報端末１２全体の制御を行い、このシステム制御部５に通信制御部２及びストラップ制御部３が接続されている。
【００３８】
上記入力部４からユーザーの入力がされるようになっていると共に、上記システム制御部５で表示部６に表示を行うようにように構成されている。なお、この表示部６は、液晶ディスプレイや有機ＥＬディスプレイで構成されている。
【００３９】
上記システム制御部５には、情報記憶部７が接続され、この情報記憶部７には通信のための制御プログラムや入力部４から入力された各種の設定データ等が記憶されている。
【００４０】
上記システム制御部５には、カメラ１５の起動や終了の制御やカメラ機能が起動中かどうかを判断するカメラ起動判断手段としてのカメラ制御部８が接続されている。
【００４１】
上記筐体２０には、姿勢検出手段としての５軸センサー１７が設けられ、この５軸センサー１７により、携帯情報端末１２の姿勢や加速度を検出している。上記システム制御部５には、５軸センサー１７からの信号を受けて最適なストラップ取付部１１の位置を割り出す５軸センサー制御部９が接続されている。なお、５軸センサー制御部９は、携帯情報端末１２の姿勢や加速度を検出する機能のみを有し、システム制御部５が５軸センサー制御部９からの信号を受けて最適なストラップ取付部１１の位置を割り出すようにしてもよい。
【００４２】
図２にストラップ取付部１１の移動前の携帯電話機における筐体２０の背面側のイメージの一例を示す。図３にストラップ取付部１１の移動後の携帯電話機における筐体２０の背面側のイメージの一例を示す。
【００４３】
具体的には、携帯情報端末１２の筐体２０の背面側表面には、上記ストラップ取付部１１の移動のためのガイドレール１６が矩形状に設けられている。ガイドレール１６の下方には、ストラップ取付部１１を移動させるためのモーター１３が設けられ、筐体２０内に隠れて外部からは見えなくなっている。筐体２０背面側には、上記カメラ１５が設けられている。
【００４４】
−情報端末装置の動作−
図４及び図５を参照して本実施形態の携帯情報端末１２の動作について説明する。
【００４５】
図４はストラップ移動機能の設定例のフローチャートである。
【００４６】
携帯情報端末１２のユーザーにより入力部４から入力された入力内容に対応させてフローチャートを遷移する。入力内容は、まず、システム制御部５に送られ、最終的な設定内容は、情報記憶部７に保存される。
【００４７】
設定は、まず、ステップS101において、ストラップ移動機能をＯＮにするかＯＦＦにするかを選択するところから始まる。
【００４８】
０ＦＦを選択した場合には、ステップS110において、ストラップ移動設定を０ＦＦにする。
【００４９】
ＯＮを選択すると、ステップS102において、ストラップ移動機能の起動タイミングを自動にするかを選択する。自動を選んだ場合はカメラ起動時にカメラ制御部８が起動中であると判断し、取付位置のロックを解除し、ステップS104に進む。
【００５０】
自動を選ばない場合には、ストラップ移動機能の起動を手動にするかを選択できる(ステップS103)。手動を選択した場合は、カメラを起動した後、入力部４より位置移動起動があった場合にロックを解除し、ステップS105に進む。一方、起動タイミングを手動にも設定しない場合には、ステップS110において、ストラップ移動設定を０ＦＦにする。
【００５１】
ステップS104において、ストラップ位置をどこに移動させるかを自動検出設定と固定位置の６箇所の手動設定とから選択することができる。自動を選んだ場合は、カメラ起動と同時に５軸センサー１７によって、携帯情報端末１２の撮影姿勢を検出し、５軸センサー制御部９によってストラップ１４がカメラ１５に写らない位置を検出し、この位置へ自動でストラップ位置を移動する設定となる(ステップS106)。この移動開始を自動に、移動先も自動に設定した状態を情報記憶部７に保存する。
【００５２】
移動先を自動に設定しない場合には、移動先を固定位置(1〜6)から選択し、ステップS107において、移動開始を自動に、移動先を選択位置(1〜6)に設定する。この移動開始を自動に、移動先を選択位置(1〜6)に設定した状態を情報記憶部７に保存する。
【００５３】
ステップS105において、ストラップ１４の移動位置について、自動検出設定と固定位置の６箇所の手動設定とから選択する。自動を選んだ場合は、カメラ起動と同時に５軸センサー１７によって、携帯情報端末１２の撮影姿勢を検出し、５軸センサー制御部９によってストラップ１４がカメラ１５に写らない位置を割り出し、この位置へ自動でストラップ位置を移動する設定となる(ステップS108)。この移動開始を手動に、移動先を自動に設定した状態を情報記憶部７に保存する。
【００５４】
移動先を自動に設定しない場合には、移動先を固定位置(1〜6)から選択し、ステップS109において、移動開始を手動に、移動先を選択位置(1〜6)に設定する。この移動開始を手動に、移動先を選択位置(1〜6)に設定した状態を情報記憶部７に保存する。
【００５５】
上記保存した設定内容は、カメラ１５を起動したタイミングで読み込んで、ストラップ移動機能を動作させる。
【００５６】
図５に、ストラップ移動機能を動作させる際の実施形態のフローチャートを示す。
【００５７】
まず、カメラ１５を起動する(ステップS201）。このとき、情報記憶部７より上記設定された設定内容を読み込み、遷移する。
【００５８】
次いで、カメラ制御部８によって、ストラップ移動設定がＯＮになっているかどうかを判定する(ステップS202)。ＯＮの場合には、ステップS203に進む。ＯＦＦの場合には、ストラップ位置を移動させない(ステップS211)。
【００５９】
次いで、ストラップ移動機能の起動タイミングの設定が自動になっているかを判定する(ステップS203)。
【００６０】
自動ではなく、手動になっている場合は、ステップS204に進み、カメラ１５のメニューから本機能の起動メニューを選択することで起動することができる。起動させないときには、ストラップ位置を移動させない(ステップS211)。
【００６１】
一方、自動の場合には、ステップS205において、さらにストラップ移動先の設定が自動か固定位置(1〜6)のどれに設定されているかを判定する。
【００６２】
自動の場合には、５軸センサー制御部９でカメラ１５に写らない場所を割り出してストラップ位置を移動させる（ステップS206）。固定位置の場合には、設定された設定位置(1〜6)に自動でストラップ位置を移動させる（ステップS207）。
【００６３】
同様に起動設定が手動になっている場合は移動先設定の判定を行う(ステップS208)。
【００６４】
自動の場合には、カメラメニューよりストラップ移動機能を起動すると、５軸センサー制御部９でカメラ１５に写らない場所を割り出して、ストラップ位置を移動させる(ステップS209)。固定位置の場合には、カメラメニューよりストラップ移動機能を起動すると、設定された設定位置(1〜6)に自動でストラップ位置を移動させる(ステップS210)。
【００６５】
それぞれのステップによる判定の結果を元にシステム制御部５に連結された５軸センサー制御部９とストラップ制御部３により、モーター１０を動作させてストラップ取付部１１を設定の位置へ移動する。カメラ１５終了後は初期位置へストラップ取付部１１を戻す。
【００６６】
図６にストラップ移動機能の移動例を示す。例えば、折畳み式の携帯情報端末１２を横向きにして撮影するような場合は、図６（ａ）に示すようにカメラ１５にストラップ１４が写ってしまうことから、図６（ｂ）に示すように、ストラップ取付部１１をモーター１３を用い、ガイドレール１６上を移動させ、図６（ｃ）のカメラ１５に写らない位置まで移動させることになる。
【００６７】
−実施形態の効果−
したがって、本実施形態にかかるストラップ取付部１１を有するカメラ付き携帯情報端末１２によると、ストラップ取付部１１を移動可能としたことにより、ストラップ１４の長さやその大きさに関わりなく、カメラ１５のユーザーが予めストラップ１４を握って撮影したり、ストラップ１４の場所を確認したりすることなく、カメラ１５の撮影時にストラップ１４が写るのを容易に防止することができる。
【００６８】
上記実施形態によれば、モーター１３により、ストラップ取付部１１を自動で移動させ、ストラップ１４がカメラ１５に写らないようにすることができる。このため、カメラ撮影時に手動でストラップ取付部１１を移動させる必要がなく、さらにカメラ１５による撮影が楽になる。
【００６９】
上記実施形態によれば、カメラ機能が起動中のみストラップ取付部１１の移動制御を行うようにしている。このため、カメラ１５の撮影と関係のないときには必要のない、ストラップ取付部１１の移動を防ぐことができるので、快適な使用が可能となる。
【００７０】
上記実施形態によれば、ストラップ取付部１１の移動先を複数の設定位置に手動でユーザーの好みの位置に設定できるようにしている。このため、カメラ１５の撮影時にストラップ１４が写るのを容易に防止しながら、カメラ機能をより快適に使用することができる。
【００７１】
上記実施形態によれば、５軸センサー１７により、姿勢を検出してストラップ１４を最適な位置に移動させるようにすることができる。このため、撮影姿勢に合わせてストラップ取付部１１を移動させる必要がなく、さらにカメラ１５による撮影が楽になる。
【００７２】
上記実施形態によれば、ストラップ取付部１１の移動先をユーザーの使用状況や好みに応じて手動で設定するか、自動で設定するかを選択できるようにしたことにより、撮影姿勢に合わせてストラップ取付部１１を移動させる必要がなく、さらにカメラ１５による撮影が楽になる。
【００７３】
上記実施形態によれば、情報記憶部７にストラップ取付部１１の移動先を手動で設定するか、自動で設定するかを記憶できるようにしたことにより、カメラ機能を使用するたびに設定しなくても、予め設定した設定方法でストラップ取付部１１が設定された位置に移動するので、より容易且つ快適にカメラ機能を使用することができる。
【００７４】
上記実施形態によれば、ガイドレール１６の下方の筐体２０内に設けたモーター１３により、ストラップ取付部１１がガイドレール１６上を移動可能としたことにより、見映えがよく、ストラップ１４がスムーズに移動可能な携帯情報端末１２が得られる。
【００７５】
例えば、携帯情報端末１２を携帯電話機とすることにより、ストラップ１４の長さやその大きさに関わりなく、カメラ１５のユーザーが予めストラップ１４を握って撮影したり、ストラップ１４の場所を確認したりすることなく、カメラ１５の撮影時にストラップ１４が写るのを容易に防止することのできる商品価値の高い携帯電話機が得られる。
【００７６】
（その他の実施形態）
本発明は、上記実施形態について、以下のような構成としてもよい。
【００７７】
すなわち、上記実施形態では、移動先を固定位置(1〜6)から選択可能に構成しているが、この固定位置は６点である必要はなく、２点以上であれば何点でもよい。
【００７８】
また、カメラ付き携帯情報端末は、ストラップ取付部１１を有する携帯電話機だけでなく、ＰＨＳ、ＰＤＡなどのストラップ取付部を備えたカメラ付き携帯情報端末であれば何でもよい。さらには、カメラのない携帯情報端末においても、適用でき、適宜使用状況に応じてストラップ取付部の位置を移動させることができる。
【００７９】
なお、以上の実施形態は、本質的に好ましい例示であって、本発明、その適用物や用途の範囲を制限することを意図するものではない。
【産業上の利用可能性】
【００８０】
以上説明したように、本発明は、携帯電話機のようなストラップ取付部を有するカメラ付き携帯情報端末について有用である。
【図面の簡単な説明】
【００８１】
【図１】情報端末装置の実施形態のブロック図である。
【図２】ストラップ取付部の移動前の構造例を示す図である。
【図３】ストラップ取付部の移動後の構造例を示す図である。
【図４】ストラップ移動機能の設定例のフローチャートである。
【図５】ストラップ移動機能を動作させる際の実施形態のフローチャートである。
【図６】ストラップ移動の移動イメージ図である。
【符号の説明】
【００８２】
４      入力部
５      システム制御部
７      情報記憶部
８      カメラ制御部（カメラ起動判断手段）
９      ５軸センサー制御部（姿勢検出手段）
１０      モーター
１１      ストラップ取付部
１２      情報端末
１３      モーター（駆動手段）
１４      ストラップ
１５      カメラ
１６      ガイドレール
１７      ５軸センサー
２０      筐体
【図１】
2007194841.tif 000003
【図２】
2007194841.tif 000004
【図３】
2007194841.tif 000005
【図４】
2007194841.tif 000006
【図５】
2007194841.tif 000007
【図６】
2007194841.tif 000008